(57)【要約】【課題】デザインの自由度を向上させることができる構造とした魚釣用リールを提供する。【解決手段】リール本体の側板に調節つまみ６０が回転自在に設けられる魚釣用リールであって、調節つまみ６０は、側板に露出する丸型のキャップ部６４を有しており、キャップ部６４の側面には、周方向に溝６４ｂが形成されており、溝６４ｂには装着部材６５が装着されている構成とした。装着部材６５は、溝６４ｂ内に収まるようにしてもよいし、溝６４ｂ内から側面の側方に突出するようにしてもよい。【選択図】図３
2014103935.tif 000002
【特許請求の範囲】
【請求項１】
リール本体の側板に調節つまみが回転自在に設けられる魚釣用リールであって、
前記調節つまみは、前記側板に露出する丸型のキャップ部を有しており、前記キャップ部の側面には、周方向に溝が形成されており、前記溝には装着部材が装着されていることを特徴とする魚釣用リール。
【請求項２】
前記装着部材は、前記溝内に収まることを特徴とする請求項１に記載の魚釣用リール。
【請求項３】
前記装着部材は、前記キャップ部の側面の側方に前記溝から突出することを特徴とする請求項１に記載の魚釣用リール。
【請求項４】
前記溝は、前記キャップ部の側面の周方向に間隔を空けて複数設けられていることを特徴とする請求項１から請求項３のいずれか１項に記載の魚釣用リール。
【請求項５】
前記溝は、前記キャップ部の側面に同心環状に複数設けられていることを特徴とする請求項１から請求項４のいずれか１項に記載の魚釣用リール。
【発明の詳細な説明】
【技術分野】
【０００１】
本発明は、魚釣用リールに関する。
【背景技術】
【０００２】
従来、スプ−ルの回転に制動力を付与するマグネツト式の制動装置を備えた両軸受型の魚釣用リールが知られている。この魚釣用リールにおける制動装置は、スプール軸に固着された非磁性材料からなる円筒状の導電体と、この導電体を内側と外側とから挟むように側板に設けられた内側磁極環体および外側磁極環体と、側板に回動可能に設けられ、回動操作により外側磁極環体を内側磁極環体に対して回動させる調節つまみと、を備えて構成されている。
【０００３】
このような制動装置は、調節つまみを回動操作することにより外側磁極環体と内側磁極環体との対向状態が変更され、導電体に発生する渦電流が生じて制動力を発揮するようになっている。
【０００４】
また、調節つまみの側面に、目盛の記載された円板状のプレートが取り付けられた魚釣用リールも知られている（例えば、特許文献１参照）。
なお、一般的に、調節つまみは、同形状、同寸法の成形体を多量に作製できることから型を作成して成形される。
【先行技術文献】
【特許文献】
【０００５】
【特許文献１】特開昭５９−４２８３０号公報
【発明の概要】
【発明が解決しようとする課題】
【０００６】
特許文献１の魚釣用リール等において、調節つまみは、前記のように型を作製して成形されるが、一度型を作成した後は、メッキや塗装色の変更にてデザインを変更するしかなく、デザインの自由度が制限されていた。
【０００７】
本発明は、前記問題を解決するためになされたものであり、デザインの自由度を向上させることができる構造とした魚釣用リールを提供することを課題とする。
【課題を解決するための手段】
【０００８】
このような課題を解決する本発明の魚釣用リールは、リール本体の側板に調節つまみが回転自在に設けられる魚釣用リールであって、前記調節つまみは、前記側板に露出する丸型のキャップ部を有しており、前記キャップ部の側面には、周方向に溝が形成されており、前記溝には装着部材が装着されていることを特徴とする。
【０００９】
この魚釣用リールによれば、溝に装着される装着部材の材質や表面処理、色調等を変更することにより、調節つまみによってリールの側面にワンポイントのデザイン的な特徴を付与することができる。
【００１０】
また、本発明は、「前記装着部材は、溝内に収まる」ことを特徴とする。
【００１１】
この魚釣用リールによれば、装着部材が溝から脱落し難くなる。
【００１２】
また、本発明は、「前記装着部材は、前記キャップ部の側面の側方に前記溝から突出する」ことを特徴とする。
【００１３】
この魚釣用リールによれば、装着部材を溝に装着する際の装着性がよい。また、調節つまみの操作時に、装着部材に指を掛けるようにして回動させることができる。
【００１４】
また、本発明は、「前記溝は、前記キャップ部の側面の周方向に間隔を空けて複数設けられている」構成としてもよいし、「前記溝は、前記キャップ部の側面に同心環状に複数設けられている」構成としてもよい。
【００１５】
この魚釣用リールによれば、溝毎に装着部材の材質や表面処理、色調等を変更することが可能であり、装着部材の装着バリエーションが多くなる。
【発明の効果】
【００１６】
本発明によれば、溝に装着される装着部材の材質や表面処理、色調等を変更することにより、魚釣用リールの側面に調節つまみによってワンポイントのデザイン的な特徴を付与することができるので、デザインの自由度を向上させることができる。
【００１７】
また、装着部材が溝内に収まる構成とすることで、装着部材が溝から脱落することを効果的に抑制することができる。また、装着部材を溝に装着する際の装着性が向上し、生産性が高まる。
また、溝の深さによっては、調節つまみの操作時に指先が装着部材に触れつつ、溝のエッジに指を当てる（掛ける）ようにして回動操作することも可能であり、調節つまみの回動操作性が向上する。
【００１８】
また、装着部材が溝からキャップ部の側面の側方に突出する構成とすることで、装着部材を溝に装着する際の装着性が向上し、生産性が高まる。
また、調節つまみの操作時に、装着部材の位置を指先で確かめながら回動操作することができるので、操作性が向上する。また、装着部材に指を当てる（掛ける）ようにして回動操作することも可能であるので、調節つまみの回動操作性が向上する。
【００１９】
また、溝がキャップ部の側面の周方向に間隔を空けて複数設けられている構成としたり、溝がキャップ部の側面に同心環状に複数設けられている構成とすることにより、装着部材の装着バリエーションが多くなるので、デザインの自由度をより一層向上させることができる。
【図面の簡単な説明】
【００２０】
【図１】本発明の第１実施形態に係る魚釣用リールを示す部分断面図である。
【図２】調節つまみおよびその周囲の構造を示す拡大断面図である。
【図３】一部を省略した魚釣用リールの斜視図である。
【図４】調節つまみを示す拡大側面図である。
【図５】本発明の第２実施形態に係る魚釣用リールの調節つまみを示す拡大側面図である。
【図６】本発明の第３実施形態に係る魚釣用リールの調節つまみを示す拡大側面図である。
【図７】本発明の第４実施形態に係る魚釣用リールの調節つまみを示す拡大側面図である。
【発明を実施するための形態】
【００２１】
以下、本発明に係る魚釣用リールの実施形態について図面を参照しながら説明する。なお、以下の説明において、「前後」「左右」を言うときは、図１に示した方向を基準とする。なお、説明において、同一の要素には同一の符号を用い、重複する説明は省略する。
【００２２】
（第１実施形態）
図１に示すように、本実施形態に係る魚釣用リールとしての両軸受型リール１は、左側板１ａ，右側板１ｂと、左右側板１ａ，１ｂによって覆われた左フレーム２ａ，右フレーム２ｂとを有するリール本体を備えている。左右フレーム２ａ，２ｂ間にはスプール軸５が軸受７，７を介して回転可能に支持されており、スプール軸５には釣糸が巻回されるスプール５ａが一体的に固定されている。
【００２３】
左フレーム２ａから突出するスプール軸５の端部には、スプール軸５の軸方向に沿って移動可能なピニオンギヤ８が取り付けられている。このピニオンギヤ８は、図示しない公知の切換手段によって、スプール軸５と係合してスプール軸５と一体に回転する係合位置（動力伝達状態）と、スプール軸５との係合状態が解除される非係合位置（動力遮断状態）との間で移動される。
また、ピニオンギヤ８には図示しない駆動歯車が噛合しており、この駆動歯車に取り付けられた図示しないハンドル軸の端部には、ハンドル９が取り付けられている。したがって、ハンドル９を回転操作すると、前記した駆動歯車とピニオンギヤ８とを介して、スプール軸５が回転駆動され、それに伴ってスプール５ａが回転される。
【００２４】
左右フレーム２ａ，２ｂ間には、スプール５ａの釣糸繰出し方向側に、公知のレベルワインド装置１０が配設されている。このレベルワインド装置１０は、ハンドル９を回転操作することで、釣糸が挿通する釣糸案内体１１が左右に移動するよう構成されており、釣糸の巻き取り操作に伴ってスプール５ａに釣糸を均等に巻回する。
【００２５】
本実施形態では、右側板１ｂ側に、釣糸放出動作の際にスプール５ａの過回転を防止する磁気式の制動装置２０が配設されている。
【００２６】
制動装置２０は、スプール軸５の外周面に配設され、軸方向に沿って移動可能で回り止め嵌合された筒状の移動体２２を有している。移動体２２の外周面には、所定間隔をおいて径方向に伸張して形成された支持部材２２ａが形成されており、各支持部材２２ａには、径方向に移動可能となるように、遠心カラー（径方向移動部材）２３が支持されている。これらの遠心カラー２３は、スプール軸５（および移動体２２）がスプール５ａとともに回転した際、支持部材２２ａに対し、遠心力によって径方向外側に移動するようになっている。
【００２７】
移動体２２の右側（右フレーム２ｂ側）には、環状（円筒状）の導電体３０が一体的に設けられている。この導電体３０は、移動体２２の移動に伴って、スプール軸５に対して軸方向に移動可能となっている。
【００２８】
スプール５ａの釣糸巻回面の裏面側には、右フレーム２ｂ側に向けて次第に拡径する軸方向変換制御部としてのテーパ面５ｂが形成されている。このテーパ面５ｂは、遠心カラー２３が径方向外側に移動する際に、遠心カラー２３の外面に形成された傾斜面２３ａと面接触（係合）して、遠心カラー２３の移動を案内するようになっている。すなわち、移動体２２の支持部材２２ａに支持された遠心カラー２３は、スプール軸５（スプール５ａ）の回転に伴う遠心力により、傾斜面２３ａとの係合作用によって径方向に移動するとともに、テーパ面５ｂに沿って案内され、これにより、環状の導電体３０が支持された移動体２２を、右フレーム２ｂ側へと軸方向に移動させる（遠心カラー２３の径方向の移動が移動体２２の軸方向の移動へ変換される）ようになっている。
【００２９】
また、スプール軸５の一端部に固定されたリテーナ２６と移動体２２との間には、移動体２２をスプール５ａ側方向に向けて常時付勢する（導電体３０を、磁石の磁界から離れる方向に向けてスプール５ａ側へと常時付勢する）バネ部材２７が介挿されている。
【００３０】
制動装置２０は、右側板１ｂ側に配設される磁極環体４０を備えている。磁極環体４０は、導電体３０との間で磁力を作用させる。この磁極環体４０は、スプール５ａの回転に伴って軸方向に進退する導電体３０に対して磁力を付与し、導電体３０に対して制動力を付与するようになっており、環状に構成されて導電体３０の内面側に所定間隔をおいて対向配設される内側磁極環体４１と、環状に構成されて導電体３０の外面側に所定間隔をおいて配設される外側磁極環体４２とを備えている。すなわち、導電体３０は、内側磁極環体４１、および外側磁極環体４２の間の隙間に生じる磁界内に進退可能となっており、スプール５ａに磁気制動力を作用させる。
【００３１】
内側磁極環体４１は、右側板１ｂの内側に嵌着固定された支持部材５１に固着されている。外側磁極環体４２は、支持部材５１に回動自在に支承された保持体５２の内側に固着されている。
なお、支持部材５１は、スプール軸５の右端を支持する軸受７が装着されている。
【００３２】
内側磁極環体４１は、例えば、径方向のＮＳ極を円周方向に等間隔で交互逆向きにかつ相対向して形成した環状磁石と、その内周面に嵌着された鉄等の磁性材料で形成された環状継鉄とから構成されている。
また、外側磁極環体４２は、例えば、内側磁極環体４１の環状磁石のＮＳ極と夫々相対向した径方向のＮＳ極を交互逆向きに相対向して形成した環状磁石と、その外周面に嵌着された鉄等の磁性材料で形成された環状継鉄から構成されている。そして、外側磁極環体４２は、保持体５２に固着された状態で、内側磁極環体４１の径方向外側に同心環状に間隔を隔てて配置されており、このように間隔を隔てて配置された内側磁極環体４１と外側磁極環体４２との間には、導電体３０が配置されるようになっている。導電体３０は、例えば、アルミ銅などの非磁性材料からなる。
【００３３】
図２に示すように、保持体５２の外周部には歯部５３が形成されている。
一方、右側板１ｂには、スプール軸５の前側において、調節つまみ６０が回動可能に軸支されており、この調節つまみ６０に取り付けられた歯車６１の歯部６２が、保持体５２の前記した歯部５３と噛合している。これにより、調節つまみ６０を回動させることにより、保持体５２の外側磁極環体４２を内側磁極環体４１に対して回動させることができ、内側磁極環体４１と外側磁極環体４２との対向しているＮＳ極の関係を変更できるように構成されている。
【００３４】
なお、図１に示すように、外側磁極環体４２が内側磁極環体４１に対して、異極同士が対向すると、空隙磁束密度は最大となり、導電体３０に発生する渦電流が最大となって最大量の制動力を発揮する。そして、調節つまみ６０の回動操作により、この状態から外側磁極環体４２が回動されると、回動角の増大に伴って異極状態の対向状態が変化して制動力が漸次減じられ、同極同士が対向したときに制動力がゼロになる。
【００３５】
図２に示すように、調節つまみ６０は、基部となる円筒部６３と、円筒部６３の右側開口端に連続して形成された丸型のキャップ部６４と、キャップ部６４に装着される装着部材６５と、固定ねじ６６と、を備え、図３に示すように、右側板１ｂのデザインに少なくとも影響を与える存在となっている。
図２に示すように、円筒部６３は、段付き円筒状を呈しており、右側板１ｂに取り付けられたホルダー１ｄの内側に収容される。円筒部６３の左端外周部には、歯車６１が形成されており、その歯部６２が、磁極環体４０の保持体５２の歯部５３に噛合している。
【００３６】
キャップ部６４は、右側板１ｂの外側に突出配置される（露出する）環状部６４ａと、環状部６４ａの外周縁から左側へ折曲げ形成された円環状の周壁部６４ｃとを有している。周壁部６４ｃの表面にはローレット加工が施されている。なお、周壁部６４ｃのローレット加工は必須ではなく、装着部材６５の表面に施してもよい。
環状部６４ａの右側面（側面）には、装着部材６５が装着される周溝（溝）６４ｂが形成されている。周溝６４ｂは、図４に示すように、環状部６４ａの周方向に連続して形成されており、その底部には、図２に示すように、右側方へ向けて隆起する隆起部６４ｆと、内溝６４ｇ，６４ｇとが形成されている。
隆起部６４ｆの側面は平らに形成されており、側面には接着剤等を介して装着部材６５が密着可能となっている。内溝６４ｇ，６４ｇは、装着部材６５を取り付ける際の接着剤の逃げ部（貯溜部）として機能する。
なお、環状部６４ａの右側面は、径方向に湾曲しており、この湾曲した部分に周溝６４ｂが形成されていることから、周溝６４ｂの径方向内側部６４ｅが径方向外側部６４ｈに比べて深くなっている。ちなみに、この深く形成された径方向内側部６４ｅは、調節つまみ６０の操作時における指掛け部（指の引っ掛かり部）として機能させることができる。
なお、接着剤を用いることなく、周溝６４ｂ内に装着部材６５がきつく嵌り込むように寸法を調整して形成してもよい。
【００３７】
装着部材６５は、薄板円環状を呈しており、周溝６４ｂの内側に装着可能である。装着部材６５の材質としては、種々のものを採用することができ、例えば、ＡＢＳ、ＰＡ、ＰＣ等の樹脂や、合成ゴム、皮革、合成皮革、ＦＲＰ、アルミニウム合金、マグネシウム合金等で形成することができる。
また、装着部材６５に所望の色彩を付したり、紫外線発光塗料や蛍光塗料を用いたりしてもよく、光沢感やつや消し感を持たせてもよい。また、色調を変更して調節つまみ６０を強調したり、逆に目立たないようにしたりすることもできる。
また、装着部材６５に、凹凸等を有する表面改質処理を施してもよい。例えば、金属表面にナノレベルの凹凸を形成したり、金属表面や樹脂表面に皮膜や印刷を施したりしてもよい。
また、装着部材６５の表面に調節操作時の目安となる数字や記号等を設けてもよい。
【００３８】
なお、装着部材６５は、周溝６４ｂの深さよりも分厚く形成して、周溝６４ｂから環状部６４ａの側方に突出するように構成してもよい。
また、装着部材６５の右側面（表面）は、平に形成したが、これに限られることはなく、周方向や径方向において、部分的あるいは全体的に凹凸状としてもよい。なお、部分的に突起を設けることによって調節の目安とすることもできる。突起としては、四角形状や半円形状、三角形状等、種々のものを採用することができる。
【００３９】
図２を再び参照して、固定ねじ６６は、胴部６６ａと、ねじ部６６ｂと、頭部６６ｃと、を備えている。胴部６６ａは、キャップ部６４の円筒部６３の内側に挿通可能な大きさを有しており、円筒部６３を支持する。胴部６６ａとねじ部６６ｂとの間には、Ｃリング６７ｂが介設されている。Ｃリング３７ｂは、右側板１ｂに取り付けられたホルダー１ｄの底部に配置される座板６７ａに当接する。
【００４０】
ねじ部６６ｂは、ホルダー１ｄの底部の貫通孔１ｅを通じて、右フレーム２ｂねじ孔２ｄに螺合可能である。この螺合によって、固定ねじ６６の頭部６６ｃがキャップ部６４の円筒部６３の開口縁に位置し、調節つまみ６０が脱落不能に取り付けられる。
なお、キャップ部６４の円筒部６３と固定ねじ６６の頭部６６ｃとの間には、スプリング６８が縮設されている。
【００４１】
以上説明した本実施形態の魚釣用リールによれば、周溝６４ｂに装着される装着部材６５の材質や表面処理、色調等を変更することにより、魚釣用リールの側面に調節つまみ６０によってワンポイントのデザイン的な特徴を付与することができるので、デザインの自由度を向上させることができる。
これにより魚釣用リールの形態および様々な設計仕様等に適したデザインの調節つまみ６０とすることができる。
【００４２】
また、装着部材６５が周溝６４ｂ内に収まる（収容される）ので、装着部材６５が周溝６４ｂから脱落することを効果的に抑制することができる。また、装着部材６５を周溝６４ｂに装着する際の装着性が向上し、生産性が高まる。
また、周溝６４ｂの深さによっては、調節つまみ６０の操作時に指先が装着部材６５に触れつつ、周溝６４ｂのエッジ（径方向内側部６４ｅ）に指を当てる（掛ける）ようにすることも可能であり、調節つまみ６０の回動操作性が向上する。
【００４３】
また、装着部材６５が周溝６４ｂから環状部６４ａの側方に突出するように構成することで、装着部材６５を周溝６４ｂに装着する際の装着性が向上し、生産性が高まる。
また、調節つまみ６０の操作時に、装着部材６５の位置を指先で確かめながら回動操作することができるので、操作性が向上する。また、装着部材６５に指を掛けるようにして回動操作することも可能であるので、回動操作性がよい。
【００４４】
（第２実施形態）
図５を参照して第２実施形態の魚釣用リールについて説明する。
本実施形態が前記第１実施形態と異なるところは、周溝６４ｂが周方向に２つに分割されており、分割されたそれぞれの周溝６４ｂ１，６４ｂ２に装着部材６５ａ，６５ｂが装着されている点にある。
【００４５】
周溝６４ｂ１，６４ｂ２は、第１実施形態と同様の深さを有しており、周溝６４ｂ１，６４ｂ２内のそれぞれに、装着部材６５ａ，６５ｂが収まるようになっている。
なお、周溝６４ｂ１，６４ｂ２同士の間には境界部６４ｊ，６４ｋが形成されている。
【００４６】
本実施形態によれば、周溝６４ｂが２つに分割されているので、デザインの自由度をより一層向上させることができる。
また、装着部材６５ａ，６５ｂ毎に材質や表面処理、色調等を変更することにより、デザインの自由度をより一層向上させることができる。装着部材６５ａ，６５ｂ毎に材質や表面処理等を変更することにより、目視や指の触感から調節つまみ６０の回動位置（制動位置）を把握することも可能となる。
【００４７】
なお、周溝６４ｂ１，６４ｂ２の深さは相互に異ならせてもよい。このように構成することで、浅溝とされた側、例えば周溝６４ｂ１に装着される側の装着部材６５ａを、環状部６４ａの側方に突出させることができる。つまり、同じ厚さの装着部材６５ａ，６５ｂを用いながら、一方を突出させる構成とすることができ、二種類の厚さの異なる装着部材６５ａ，６５ｂを用いた場合に比べてコストを低減することができる。
このように、一方を突出させる構成とすることにより、デザインの自由度をより一層向上させることができる。また、装着部材６５ａ，６５ｂの突出高さが異なるので、目視や指の触感から調節つまみ６０の回動位置（制動位置）を把握することも可能となる。
【００４８】
（第３実施形態）
図６を参照して第２実施形態の魚釣用リールについて説明する。
本実施形態が前記第１，２実施形態と異なるところは、周溝６４ｂが周方向に４つに分割されており、分割されたそれぞれの周溝６４ｂ３，６４ｂ４，６４ｂ５，６４ｂ６に装着部材６５ｃ，６５ｄ，６５ｅ，６５ｆが装着されている点にある。
【００４９】
周溝６４ｂ３，６４ｂ４，６４ｂ５，６４ｂ６は、第１実施形態と同様の深さを有しており、周溝６４ｂ３，６４ｂ４，６４ｂ５，６４ｂ６内のそれぞれに、装着部材６５ｃ，６５ｄ，６５ｅ，６５ｆが収まるようになっている。
なお、周溝６４ｂ３，６４ｂ４，６４ｂ５，６４ｂ６同士の間には境界部６４ｊ，６４ｋ，６４ｍ，６４ｎが形成されている。
【００５０】
本実施形態によれば、周溝６４ｂが４つに分割されているので、デザインの自由度をより一層向上させることができる。
また、本実施形態においても、装着部材６５ｃ，６５ｄ，６５ｅ，６５ｆ毎に材質や表面処理、色調等を変更することにより、デザインの自由度をより一層向上させることができる。装着部材６５ｃ，６５ｄ，６５ｅ，６５ｆ毎に材質や表面処理等を変更することにより、目視や指の触感から調節つまみ６０の回動位置（制動位置）を把握することも可能となる。
【００５１】
さらに、本実施形態においても、周溝６４ｂ３，６４ｂ４，６４ｂ５，６４ｂ６の深さは相互に異ならせてもよい。このように構成することで、浅溝とされた側、例えば周溝６４ｂ３，６４ｂ６に装着される側の装着部材６５ｃ，６５ｆを、環状部６４ａの側方に突出させることができ、デザインのバリエーションが多くなる。
また、装着部材６５ｃ，６５ｆの突出高さが異なるので、目視や指の触感から調節つまみ６０の回動位置（制動位置）を把握することも可能となる。
【００５２】
また、周溝６４ｂ３，６４ｂ４，６４ｂ５，６４ｂ６の周方向の長さを相互に異らせてもよい。このように構成することで、これに対応する装着部材６５ｃ，６５ｄ，６５ｅ，６５ｆの誤装着を回避できる。
【００５３】
（第４実施形態）
図７を参照して第４実施形態の魚釣用リールについて説明する。
本実施形態が前記第１〜３実施形態と異なるところは、周溝６４ｂが同心環状に２つに分割されており、分割されたそれぞれの周溝６４ｂ７，６４ｂ８に円環状の装着部材６５ｇ，６５ｈが装着されている点にある。
【００５４】
周溝６４ｂ７，６４ｂ８は、第１実施形態と同様の深さを有しており、周溝６４ｂ７，６４ｂ８内のそれぞれに、装着部材６５ｇ，６５ｈが収まるようになっている。
なお、周溝６４ｂ７，６４ｂ８の間には円環状の境界部６４ｐが形成されている。
【００５５】
本実施形態によれば、周溝６４ｂが同心環状に２つに分割されているので、デザインの自由度をより一層向上させることができる。
また、装着部材６５ｇ，６５ｈ毎に材質や表面処理、色調等を変更することにより、デザインの自由度をより一層向上させることができる。
【００５６】
なお、周溝６４ｂ７，６４ｂ８の深さは相互に異ならせてもよい。このように構成することで、浅溝とされた側、例えば周溝６４ｂ８に装着される側の装着部材６５ｇを、環状部６４ａの側方に突出させることができる。つまり、同じ厚さの装着部材６５ｇ，６５ｈを用いながら、一方を突出させる構成とすることができ、二種類の厚さの異なる装着部材６５ｇ，６５ｈを用いた場合に比べてコストを低減することができる。
このように、一方を突出させる構成とすることにより、デザインの自由度をより一層向上させることができる。
【００５７】
なお、環状部６４ａにおいて周溝６４ｂ８の径方向外側には、円環状の縁部６４ｒが設けられているが、縁部６４ｒは、必ずしも必要ではなく、周溝６４ｂ８を縁部６４ｒまで広げて形成してもよい。
【００５８】
前記実施形態では、装着部材６５等を接着剤等により周溝６４ｂ等に固定する例を示したが、これに限られることはなく、両面テープ等によって、取り付け取り外し可能に構成してもよい。
また、前記実施形態では、一つの周溝６４ｂ等に装着部材６５等を一つ装着する例を示したが、短く形成した装着部材を複数個装着することで周溝６４ｂが埋まるように構成してもよい。また、周溝６４ｂ等の全体に装着部材６５を装着しなくてもよく、周溝６４ｂ等の一部に装着するようにしてもよい。
また、装着部材６５等を複数枚重ねて装着してもよい。
【００５９】
また、前記実施形態において調節つまみ６０は、キャップ部６４が環状部６４ａを有するものを示したが、これに限られることはなく、環状部６４ａが円板状に形成されていてもよい。
【００６０】
また、周溝（溝）６４ｂは、キャップ部６４の周方向に複数点在する溝であってもよい。
【００６１】
また、前記実施形態では、調節つまみ６０が制動装置２０のつまみであるとして説明したが、これに限られることはなく、リール本体の側板に設けられるつまみであればどのようなツマミであってもよい。
【符号の説明】
【００６２】
１      両軸受型リール
１ａ    左側板
１ｂ    右側板
６０    調節つまみ
６４ａ  環状部
６４ｂ  周溝（溝）
６５    装着部材
２０    制動装置
【図１】
2014103935.tif 000003
【図２】
2014103935.tif 000004
【図３】
2014103935.tif 000005
【図４】
2014103935.tif 000006
【図５】
2014103935.tif 000007
【図６】
2014103935.tif 000008
【図７】
2014103935.tif 000009